【事件の表示】
　特許第３０３１４３９号「リボンカセットおよび印字装置」の請求項１、２に係る特許に対する特許異議の申立てについて、次のとおり決定する。
【結　論】
　訂正を認める。
　特許第３０３１４３９号の請求項１ないし２に係る特許を維持する。
【理　由】
１．手続きの経緯
　特許第3031439号の請求項１及び２に係る発明についての出願は、平成3年10月21日に特許出願され、平成12年2月10日にその発明について特許権の設定登録がなされ、その後、その特許について、異議申立人　桑原和子より特許異議の申立てがなされ、取消の理由が通知され、その指定期間内である平成13年4月27日に特許異議意見書の提出ともに訂正請求がなされたものである。
　
２．訂正の適否についての判断
（１）訂正の内容
［訂正事項ａ］
　特許請求の範囲の請求項１の「インクリボンの巻かれたリボンリールと、テープの巻かれたテープリールとを有し、該インクリボンと該テープとを重ね合わせた状態でプラテンとヘッドとの間に常時挟み込んでテープ表面に文字や図形を形成する印字装置のカセット収納部に対して着脱自在なリボンカセットにおいて、前記印字装置のプラテン及びヘッドの近傍にあって、リボンカセットをカセット収納部に装着したときに、リボンカセットをカセット収納部の底面に押しつける力を受け、常時リボンカセットをカセット収納部の底面に押しつける力を受ける凸部または凹部を有することを特徴とするリボンカセット。」を
「インクリボンの巻かれたリボンリールと、テープの巻かれたテープリールとを有し、該インクリボンと該テープとを重ね合わせた状態でプラテンとヘッドとの間に常時挟み込んでテープ表面に文字や図形を形成する印字装置のカセット収納部に対して着脱自在なリボンカセットにおいて、前記リボンカセットをカセット収納部に装着したときに、前記プラテンまたはヘッドの移動に連動して、前記印字装置のプラテン及びヘッドの近傍にあって、リボンカセットをカセット収納部の底面に押しつける力を受け、常時リボンカセットをカセット収納部の底面に押しつける力を受ける凸部または凹部を有することを特徴とするリボンカセット。」
と訂正する。
［訂正事項ｂ］
　明細書の発明の詳細な説明の段落番号［0009］の記載を、
「【課題を解決するための手段】
  この目的を達成するために本発明のリボンカセットは、インクリボンの巻かれたリボンリールと、テープの巻かれたテープリールとを有し、該インクリボンと該テープとを重ね合わせた状態でプラテンとヘッドとの間に常時挟み込んでテープ表面に文字や図形を形成する印字装置のカセット収納部に対して着脱自在なリボンカセットであって、前記リボンカセットをカセット収納部に装着したときに、前記プラテンまたはヘッドの移動に連動して、前記印字装置のプラテン及びヘッドの近傍にあって、リボンカセットをカセット収納部の底面に押しつける力を受け、常時リボンカセットをカセット収納部の底面に押しつける力を常時受ける凸部または凹部を有している。」
と訂正する。
（２）訂正の目的の適否、新規事項の有無および拡張・変更の存否
　訂正事項ａは、凸部または凹部について「リボンカセットをカセット収納部に装着したときに、・・・リボンカセットをカセット収納部の底面に押しつける力を受け」を「前記リボンカセットをカセット収納部に装着したときに、前記プラテンまたはヘッドの移動に連動して、・・・リボンカセットをカセット収納部の底面に押しつける力を受け」と限定するものであり、特許請求の範囲の減縮を目的とするものである。
　訂正事項ｂは、特許請求の範囲の訂正に伴い、発明の詳細な説明の記載をそれに整合させるための訂正であって、明りょうでない記載の釈明を目的とするものである。
　訂正事項ａおよびｂにおける「前記リボンカセットをカセット収納部に装着したときに、前記プラテンまたはヘッドの移動に連動して、・・・リボンカセットをカセット収納部の底面に押しつける力を受け」の点は、特許明細書の発明の詳細な説明の段落番号［0017、0018］に記載されており、新規事項の追加には該当しないし、特許請求の範囲を実質的に拡張したり変更したりするものでもない。
（３）むすび
　以上のとおりであるから、上記訂正は、平成６年改正法附則第6条第1項の規定によりなお従前の例によるとされる、特許法第120条の4第3項において準用する平成６年改正法による改正前の特許法第126条第1項ただし書き、第2項及び第3項の規定に適合するので、当該訂正を認める。
　
３．特許異議申立てについて
（１）申立の理由の概要
　本件請求項１，２に係る特許発明は、甲第１号証（特開平3−178470号公報、当審による取消理由通知では刊行物１として引用）及び甲第２号証（特開平1−255575号公報、当審による取消理由通知では刊行物２として引用）及び周知技術［実願昭60-120912号（実開昭62−30662号公報）のマイクロフィルムフィルム、特開昭61−94787号公報、当審の取消理由通知ではそれぞれ刊行物３，４として引用］に基づいて、当業者が容易に発明をすることができたものであり、特許法第29条第2項の規定により特許を受けることができない。
　また、本件特許明細書の詳細な説明には浮き上がりを防止する構造は記載されていても、押し付ける構造については記載されておらず、特許を受けようとする発明が発明の詳細な説明に記載されておらず、本件特許は特許法第36条第6項第1号の要件を満たしていない特許出願に対してされたものである。
　
（２）本件発明
　上記２．で示したように上記訂正が認められるから、本件の請求項１及び２に係る発明は、訂正明細書の特許請求の範囲の請求項１及び２に記載された次のとおりのものである。（以下、それぞれ「本件発明１」、「本件発明２」という。）
「【請求項１】インクリボンの巻かれたリボンリールと、テープの巻かれたテープリールとを有し、該インクリボンと該テープとを重ね合わせた状態でプラテンとヘッドとの間に常時挟み込んでテープ表面に文字や図形を形成する印字装置のカセット収納部に対して着脱自在なリボンカセットにおいて、前記リボンカセットをカセット収納部に装着したときに、前記プラテンまたはヘッドの移動に連動して、前記印字装置のプラテン及びヘッドの近傍にあって、リボンカセットをカセット収納部の底面に押しつける力を受け、常時リボンカセットをカセット収納部の底面に押しつける力を受ける凸部または凹部を有することを特徴とするリボンカセット。」
【請求項２】インクリボンの巻かれたリボンリールと、テープの巻かれたテープリールとを有し、カセット収納部に対し着脱自在なリボンカセットを使用し、該インクリボンとテープとをプラテンとヘッドの間に挟み込んで、該テープ表面に文字または図形を形成するときに、前記プラテンと前記ヘッドとの位置関係が常時変化しない印字装置において、前記プラテン及びヘッドの近傍にあって、前記プラテンまたはヘッドの少なくとも一方が他方に対して接近する方向へ移動して前記インクリボンとテープを挟み込むときに、前記プラテンまたはヘッドの移動に連動して前記リボンカセットをカセット収納部の底面に押しつけ、常時前記リボンカセットをカセット収納部の底面に押し付けるカセット押えを有することを特徴とする印字装置。」
　
（３）刊行物記載の発明
［刊行物１（特開平3−178470号公報）記載の発明］
ａ）前述のように、本発明は熱プリントあるいは転写装置と関連のテープ供給カートリッジとに関する。（第5頁右上欄第14行〜同欄第16行参照）
ｂ）機械ハウジング12の一部の内部に、側壁部分19，20により側部がステージ即ち底部支持面21により底部が画成されたカートリッジ受入れ空洞が形成されている。（第5頁右下欄第9行〜同欄第12行参照）
ｃ）カートリッジ11は全体的にベースプレート30とカバー31並びに特にテープ供給装置32、リボン供給装置34、ラミネーションフイルム供給装置35並びにテープ切断レバー36とを含んでいる。（第5頁右下欄末行〜第6頁左上欄第4行参照）
ｄ）カートリッジ11は第１図に示す形態のカートリッジ用空洞に受け入れられる。カートリッジ11は次いでロッキングノブ22を第１図に示し、かつ下記する位置まで廻すことにより作動位置へロックされる。（第6頁左上欄第9行〜同欄第13行参照）
ｅ）テープ供給スプール32は全体的に円筒形のテープ支持壁に対してカートリッジ内で取り付けられている。前記支持壁の内面は全体的に円筒形のテープスプール用孔40を画成する。テープ供給スプール32は、テープガイド42の周りからテープセンサの窓33を通して、テープガイド44の周りを、次いで全体的に円筒形のアイドラ即ちプラテンローラ45の周りを延びるテープ41を供給する。リボンはリボン供給スプール34から供給され、該スプールの方は、カートリッジベース30に一体的に固定されたリボン供給ポスト48に取り付けられている。（第6頁左上欄末行〜右上欄第11行参照）
ｆ）リボン供給装置34は一対のリボンガイドポスト54、54の周りで、次いでテープ41と対面整合関係で係合するプラテンローラ45の周りで転写リボン51を供給する。テープ41とリボン51とがプラテン45の周りで相互に係合している間に熱転写プリントヘッド24（第４図）がプリントあるいは転写位置へ運動しリボン51からテープ41へ選択された像を転写すべく必要な熱と圧力を加える。この転写プロセスは当該技術分野において周知のものである。（第6頁右上欄第16行〜同頁左下欄第5行参照）
ｇ）第３図と第６図とに示すように、テープ供給スプール用孔40の下端部には一対の直径方向に対向したロック用突起88が設けられている。これらの突起88はカートリッジを作動位置にロックしたい場合、ロック用ノブ22の下端に配置された一対の対応するフランジ89と選択的に係合可能である。（第8頁右上欄第8行〜同欄第14行参照）
ｈ）次いで、カートリッジ11は、テープ供給スプールの井戸40がロック用ノブ22と整合し、スリーブ62、65（第１１図）がポスト25、26と整合するようにカートリッジ用空洞の上方に位置される。次いで、カートリッジがカートリッジ用空洞中へ降下される。・・・ロック用ノブ22が第１図に示す位置まで90度廻される。この回転によってプラテン45に対してプリントヘッド24を位置させる。（第8頁左下欄第11行〜右下欄第2行参照）
　
　対比のためにまとめると、刊行物１には次のような発明１及び２が記載されている。
［発明１］
　リボンの巻かれたリボン供給スプール34と、テープの巻かれたテープ供給スプール32とを有し、該リボンと該テープとを重ね合わせた状態でプラテンとプリントヘッド24との間に常時挟み込んでテープ表面に選択された像を形成する熱転写装置のカートリッジ用空洞に対して着脱自在なカートリッジにおいて、前記カートリッジをカートリッジ用空洞に装着したときに、テープスプール用孔40に位置し、プラテンに対してプリントヘッドを位置させることもできるロッキングノブ22により、リボンカセットをカセット収納部の底面に押しつける力を受け、常時リボンカセットをカセット収納部の底面に押しつける力を受けるロック用突起88を有することを特徴とするカートリッジ。
［発明２］
　リボンの巻かれたリボン供給スプール34と、テープの巻かれたテープ供給スプール32とを有し、カートリッジ用空洞に対し着脱自在なカートリッジを使用し、該リボンとテープとをプラテンローラ45とプリントヘッド24の間に挟み込んで、該テープ表面に選択された像を形成するときに、前記プラテンローラ45と前記プリントヘッド24との位置関係が常時変化しない熱転写装置において、前記カートリッジをカートリッジ用空洞に装着したときに、テープスプール用孔40に位置し、前記プリントヘッド24をプラテンローラ45に対して接近する方向へ移動させるとともに、前記リボンカセットをカートリッジ用空洞の底面に押しつけ、常時前記カートリッジをカートリッジ用空洞の底面に押し付けるロッキングノブ22を有する熱転写装置。
　
［刊行物２（特開平1−255575号公報）記載の発明］
ａ）カセット（１）を凹所（ｃ）に嵌めるに当っては操作用摘み（Ｈ）を第８図の状態から反時計方向に900回す。・・・フレーム（ｃ’）上に突出しているサーマルヘッド（Ｅ）が軸（ｅ）を中心として第８図鎖線で示すように反時計方向に回動し、今迄接し合っていたプラテンローラ（Ｆ）から離れて印刷用テープ（Ａ）と熱転写式の転写リボン（Ｂ）を差し込むに充分な間隔ができる。（第4頁左下欄第11行〜右下欄第5行参照）
ｂ）この操作を行った上で凹所（ｃ）にカセット（１）を嵌めると熱転写式のプリンタ（Ｃ）のサーマルヘッド（Ｅ）は・・・カセット（1）の底板（1ｂ）に形成されている挿入孔（5）に・・・それぞれ嵌まる。また、操作用摘み（Ｈ）はカセット（1）の底板（1ｂ）に形成されている孔（3）からテープ取付コア（2）の筒内を経てカセット（1）の蓋体（1ｃ）に形成されている孔（19）に嵌まるとともに、その一部が蓋体（1ｃ）より上方に突出する。（第4頁右下欄第8行〜同欄第18行参照）
ｃ）熱転写式のプリンタ（Ｃ）の凹所（ｃ）にカセット（1）を嵌めた後蓋体（1ｃ）の孔（19）から突出している操作用摘み（Ｈ）を先程とは逆に900回す。すると・・・サーマルヘッド（Ｅ）はレバー（Ｉ）とともに軸（ｅ）を中心として旧位（第５図，第８図において実線で示す位置）に戻り（第5頁右上欄第17行〜左下欄第3行参照）
　
［刊行物３（実願昭60-120912号（実開昭62−30662号公報）のマイクロフィルムフィルム）、刊行物４（特開昭61−94787号公報）記載の発明］
　印字装置に装着したカセットをカセット押さえによって常時下側に押しつける構造。
　
（４）対比・判断
［本件発明１］
　本件発明１を刊行物１記載の発明と対比すると、
刊行物１記載の発明１の「リボン」、「リボン供給スプール34」、「テープ供給スプール32」、「プリントヘッド24」、「選択された像」、「熱転写装置」、「カートリッジ用空洞」、「カートリッジ」、「ロック用突起88」は、それぞれ本件発明１の「インクリボン」、「リボンリール」、「テープリール」、「ヘッド」、「文字や図形」、「印字装置」、「カセット収納部」、「リボンカセット」、「凸部」に相当するから、次のような一致点、相違点がある。
（一致点）
　インクリボンの巻かれたリボンリールと、テープの巻かれたテープリールとを有し、該インクリボンと該テープとを重ね合わせた状態でプラテンとヘッドとの間に常時挟み込んでテープ表面に文字や図形を形成する印字装置のカセット収納部に対して着脱自在なリボンカセットにおいて、前記リボンカセットをカセット収納部に装着したときに、リボンカセットをカセット収納部の底面に押しつける力を受け、常時リボンカセットをカセット収納部の底面に押しつける力を受ける凸部を有するリボンカセット。
（相違点）
　常時リボンカセットをカセット収納部の底面に押しつける力を受ける凸部が、本件発明１は、印字装置のプラテン及びヘッドの近傍にあって、プラテンまたはヘッドの移動に連動して力を受けるのに対して、刊行物１記載の発明はテープスプール用孔40に位置し、プラテンに対してプリントヘッドが移動する時に力を受けるものである点
（相違点の検討）
　刊行物２には、テープ取付コア（2）の筒内を経てカセット（1）の蓋体（1ｃ）に形成されている孔（19）に嵌まっている操作用摘み（Ｈ）を操作することによって、レバー等を介してサーマルヘッド（Ｅ）をプラテンローラ（Ｆ）に対して接離する点が記載されており、一方、刊行物１記載の発明はテープ供給スプール用孔40を経てカートリッジのカバー31に形成されている孔に嵌まっているロック用ノブによって、カートリッジがカートリッジ用空洞の底部支持面21に固定される点が記載されている。
　そして、刊行物１には「ロック用ノブ22が第１図に示す位置まで90度廻される。この回転によってプラテン45に対してプリントヘッド24を位置させる。」との記載があり、また、刊行物１記載の発明１の「テープ供給スプール用孔40」は、刊行物２記載の発明の「テープ取付コア（2）の筒内」とカセットにおいて同じ部位であることから、刊行物１記載の発明１と刊行物２記載の発明を組み合わせて、刊行物１記載の発明１の凸部を「プラテンまたはヘッドの移動に連動させて、リボンカセットをカセット収納部の底面に押しつける力を受け、常時リボンカセットをカセット収納部の底面に押しつける力を受ける」ものとすることは、当業者ならば容易に考えつくことができる。
　しかし、刊行物１記載の発明１のロック用ノブや刊行物２記載の操作摘みは、いずれもリボンカセットのテープリールの回転軸心に位置するものであり、その部位においてリボンカセットを印字装置に固定してテープ及びリボンの安定した走行を図るものとすることは容易に考えつくとしても、さらに凸部をヘッド近傍に位置させて、ヘッドがプラテンに対して移動するのに連動させ、ヘッド近傍でリボンカセットを印字装置に対して固定するという考え方については刊行物２にはもちろんのこと刊行物３および４にも示唆されていないから、上記相違点は刊行物１乃至４記載の発明に基づいて当業者が容易に考えつくことができた構成の変更であるとすることはできない。
　そして本件発明１はこの構成上の相違によって、刊行物１乃至４記載の発明からは窺い知れない「ヘッド付近におけるテープまたはリボンの安定した走行が得られる」という作用効果を奏する。
　
［本件発明２］
　本件発明２を刊行物１記載の発明２と対比すると、本件発明２が「プラテン及びヘッドの近傍にあって、前記プラテンまたはヘッドの移動に連動して前記リボンカセットをカセット収納部の底面に押しつけ、常時前記リボンカセットをカセット収納部の底面に押し付けるカセット押え」を有しているのに対して、刊行物１記載の発明２が「前記カートリッジをカートリッジ用空洞に装着したときに、テープスプール用孔40に位置し、前記プリントヘッド24をプラテンローラ45に対して接近する方向へ移動させて前記リボンとテープを挟み込むとともに、前記リボンカセットをカートリッジ用空洞の底面に押しつけ、常時前記カートリッジをカートリッジ用空洞の底面に押し付けるロッキングノブ22」を有する点で相違している。
　本件発明１においても述べたように、カセット押さえをプラテン及びヘッドの近傍に配置し、ヘッドがプラテンに対して移動するのに連動させ、ヘッド近傍でリボンカセットを押さえて固定するという考え方については刊行物２にはもちろんのこと刊行物３および４にも示唆されていないから、上記相違点は刊行物１乃至４記載の発明に基づいて当業者が容易に考えつくことができた構成の変更であるとすることはできない。
　そして本件発明２はこの構成上の相違によって、刊行物１乃至４記載の発明からは窺い知れない「ヘッド付近におけるテープまたはリボンの安定した走行が得られる」という作用効果を奏する。
　
（まとめ）
　したがって、本件発明１および２は、刊行物１乃至４記載の発明に基づいて当業者が容易に発明をすることができたものであるとすることはできない。
　
（５）明細書の記載不備について
　発明の詳細な説明の段落番号［0018］の「そして、プラテンレバー30が印字位置に回動されることにより、カセット押さえリブ30ａがカセット凸部7ａの上面に当接し、リボンカセット7をカセット収納部2の下面に押しつけて、リボンカセットの浮き上がりを防止している。」の記載を、図２においてリブ30ａの下面が面取りされていること、カセット押えリブ30ａがカセット凸部7ａの上に位置することとを合わせて読み取ると、プラテンレバー30が印字位置に回動されたとき、カセット押えリブ30ａがカセット凸部7ａに乗り上げてカセットを押し付けるものと理解することは当業者ならば容易である。
　したがって、この点に関して明細書の記載が不備であって、特許法第36条第6項第1号（出願時の適用法第5項第1号）の要件を満たしていないとすることはできない。
　
（６）むすび
　以上のとおりであるから、特許異議の申立ての理由によっては本件発明１及び２についても特許を取り消すことはできない。
　また、他に本件特許を取り消すべき理由を発見しない。
　したがって、本件発明１及び２についての特許は拒絶の査定をしなければならない特許出願に対してされたものと認めない。
　よって、平成６年改正法附則第14条の規定に基づく、平成６年改正法の施行に伴う経過措置を定める政令（平成７年政令第205号）第4条第2項の規定により、結論のとおり決定する。
【異議決定日】
平成１３年６月２１日（２００１．６．２１）
【訂正の要旨】
訂正の要旨
１．訂正事項ａ
　特許請求の範囲の請求項１の「インクリボンの巻かれたリボンリールと、テープの巻かれたテープリールとを有し、該インクリボンと該テープとを重ね合わせた状態でプラテンとヘッドとの間に常時挟み込んでテープ表面に文字や図形を形成する印字装置のカセット収納部に対して着脱自在なリボンカセットにおいて、前記印字装置のプラテン及びヘッドの近傍にあって、リボンカセットをカセット収納部に装着したときに、リボンカセットをカセット収納部の底面に押しつける力を受け、常時リボンカセットをカセット収納部の底面に押しつける力を受ける凸部または凹部を有することを特徴とするリボンカセット。」を、特許請求の範囲の減縮を目的として、
「インクリボンの巻かれたリボンリールと、テープの巻かれたテープリールとを有し、該インクリボンと該テープとを重ね合わせた状態でプラテンとヘッドとの間に常時挟み込んでテープ表面に文字や図形を形成する印字装置のカセット収納部に対して着脱自在なリボンカセットにおいて、
前記リボンカセットをカセット収納部に装着したときに、前記プラテンまたはヘッドの移動に連動して、前記印字装置のプラテン及びヘッドの近傍にあって、
と訂正する。
［訂正事項ｂ］
２．明細書の発明の詳細な説明の段落番号［０００９］の記載を、明りょうでない記載の釈明を目的として、
「【課題を解決するための手段】
　この目的を達成するために本発明のリボンカセットは、インクリボンの巻かれたリボンリールと、テープの巻かれたテープリールとを有し、該インクリボンと該テープとを重ね合わせた状態でプラテンとヘッドとの間に常時挟み込んでテープ表面に文字や図形を形成する印字装置のカセット収納部に対して着脱自在なリボンカセットであって、
前記リボンカセットをカセット収納部に装着したときに、前記プラテンまたはヘッドの移動に連動して、前記印字装置のプラテン及びヘッドの近傍にあって、
と訂正する。
（５４）【発明の名称】
リボンカセットおよび印字装置
（５７）【特許請求の範囲】
　【請求項１】　インクリボンの巻かれたリボンリールと、テープの巻かれたテープリールとを有し、該インクリボンと該テープとを重ね合わせた状態でプラテンとヘッドとの間に常時挟み込んでテープ表面に文字や図形を形成する印字装置のカセット収納部に対して着脱自在なリボンカセットにおいて、
　
前記リボンカセットをカセット収納部に装着したときに、前記プラテンまたはヘッドの移動に連動して、前記印字装置のプラテン及びヘッドの近傍にあって、
　【請求項２】　インクリボンの巻かれたリボンリールと、テープの巻かれたテープリールとを有し、カセット収納部に対し着脱自在なリボンカセットを使用し、該インクリボンとテープとをプラテンとヘッドの間に挟み込んで、該テープ表面に文字または図形を形成するときに、前記プラテンと前記ヘッドとの位置関係が常時変化しない印字装置において、
　前記プラテン及びヘッドの近傍にあって、前記プラテンまたはヘッドの少なくとも一方が他方に対して接近する方向へ移動して前記インクリボンとテープを挟み込むときに、前記プラテンまたはヘッドの移動に連動して前記リボンカセットをカセット収納部の底面に押しつけ、常時前記リボンカセットをカセット収納部の底面に押し付けるカセット押えを有することを特徴とする印字装置。
【発明の詳細な説明】
　【０００１】
　【産業上の利用分野】本発明は、テープリール及びリボンリールを有するリボンカセットに関し、また該リボンカセットを使用してテープに文字や図形を形成する印字装置に関するものである。
　【０００２】
　【従来の技術】近年、ＰＥＴ等の透明テープの片面に、インクリボンを使用して任意の文字や図形を形成し、さらに文字や図形が形成された面に、両面に粘着材が塗布され片面に剥離紙が付けられた両面テープを貼付けて、印字テープを製作する印字装置が広く使用されている。そのように製作された印字テープは、コンテナ、ファイルケース、ビデオカセット等に貼付されインデックス等として使用されている。
　【０００３】印字テープを製作する従来装置の一例である印字装置の外観を図３に示す。印字装置１は、本体ケース３の前部に設けられたキーボード４及びその後方に設けられた液晶ディスプレイ５と、本体ケース３の後部の右半部内に組み込まれた印字機構と、同有半部内のカセット収容部２に着脱自在に装着されたテープカセット７と、本体ケース３の左半分内に組み込まれたテープカット機構及びコントロールユニット等を備えている。
　【０００４】図４にテープカセット７及び印字装置１の印字機構の構成を示す。印字装置１は、透明テープ１５の片面にインクリボン１６により熱転写印字を行い、両面テープ１２を貼り付けてラミネートタイプの印字テープ１８を作成するための装置である。テープカセット７内には、透明テープ１５が巻かれた透明テープリール１３、両面テープ１２が巻かれた両面テープリール１１、インクリボン１６が巻かれたインクリボンリール１４の３種類のリールが回転可能に保持されている。
　【０００５】透明テープ１５は、インクリボン１６と重ね合わされた状態で、印字装置１のサーマルヘッド２２とプラテンローラ２１とに挟み込まれ、サーマルヘッド２２に組み込まれている発熱素子により、キーボード４で入力された任意の文字、図形等を印字する。次に、透明テープ１５の印字面に、テープ駆動ローラ２３とテープ送りローラ２４とにより、両面テープ１１が貼り合わされて印字テープ１８が製作される。印字テープ１８は、テープカット機構により切断された後、本体ケース３の外部に排出される。
　【０００６】ここで、リボンカセット７の固定方法を図５により説明する。図５は、カセット収納部２内にリボンカセット７が収納されている状態を示す断面図である。カセットカバー２５の左右一対のヒンジ部２６はフレーム２９の枢支穴２７に回転可能に各々軸支され、カセットカバー２５の後端部には板バネ２８が取り付けられている。テープカセット７が装着状態のときは、板バネ２８がテープカセット７の印字位置とは反対位置である裏側にあるリブ１９に当接し、テープカセット７の浮き上がりを防止している。
　【０００７】
　【発明が解決しようとする課題】しかしながら、従来の印字装置において、リボンカセット７は、印字装置に装着されたとき平面方向での位置決めはされるが、上下方向については、ヘッドから離れたリボンカセット７後背部で浮き上がりが規制されているだけであった。従って、ヘッド付近におけるテープ及びリボンの安定した走行が最も重要であるにも関わらず、ヘッド付近におけるテープ及びリボンカセット本体の浮き上がり防止がされていないために、テープ及びリボン走行時にリボンカセット７がリボンカセット収納部の底面より浮き上がってしまっていた。それによって、テープ及びリボンの蛇行は増長される結果となり、印字が歪んだり、テープ及びリボンの折れなどの問題を発生していた。
　【０００８】本発明は、上述した問題点を解決するためになされたものであり、テーブ及びリボンの走行時でも安定してリボンカセットの浮き上がりを防止できるリボンカセット及び印字装置を提供することを目的としている。
　【０００９】
　【課題を解決するための手段】この目的を達成するために本発明のリボンカセットは、インクリボンの巻かれたリボンリールと、テープの巻かれたテープリールとを有し、該インクリボンと該テープとを重ね合わせた状態でプラテンとヘッドとの間に常時挟み込んでテープ表面に文字や図形を形成する印字装置のカセット収納部に対して着脱自在なリボンカセットであって、
前記リボンカセットをカセット収納部に装着したときに、前記プラテンまたはヘッドの移動に連動して、前記印字装置のプラテン及びヘッドの近傍にあって、
　【００１０】また、この目的を達成するために本発明の印字装置は、インクリボンの巻かれたリボンリールと、テープの巻かれたテープリールとを有し、カセット収納部に対し着脱自在なリボンカセットを使用し、該インクリボンとテープとをプラテンとヘッドの間に挟み込んで、該テープ表面に文字または図形を形成するときに、前記プラテンと前記ヘッドとの位置関係が常時変化しない印字装置であって、前記プラテン及びヘッドの近傍にあって、前記プラテンまたはヘッドの少なくとも一方が他方に対して接近する方向へ移動して前記インクリボンとテープを挟み込むときに、前記プラテンまたはヘッドの移動に連動して前記リボンカセットをカセット収納部の底面に押しつけ、常時前記リボンカセットをカセット収納部の底面に押し付けるカセット押えを有している。
　【００１１】
　【作用】上記の構成を有する本発明のリボンカセットは、印字装置のカセット収納部に対して着脱自在であり、インクリボンとテープとを印字装置に供給する。インクリボンとテープとは重ね合わせた状態でプラテンとヘッドとの間に挟み込まれ、ヘッドによりテープ表面に文字や図形が形成される。リボンカセットの印字装置のプラテン及びヘッドの近傍にある凸部または凹部は、リボンカセットをカセット収納部に装着したときに、リボンカセットをカセット収納部の底面に押しつける力を受ける。また、印字装置のカセット押えは、プラテン及びヘッドの近傍にあって、プラテンまたはヘッドの少なくとも一方が他方に対して接近する方向へ移動してインクリボンとテープを挟み込むときに、プラテンまたはヘッドの移動に連動してリボンカセットをカセット収納部の底面に押しつける。
　【００１２】
　【実施例】以下、本発明を具体化した一実施例を図面を参照して説明する。図１に本発明の一実施例であるリボンカセット７を印字装置１に挿入した状態の断面図を示す。印字装置１及びリボンカセット７の構成は、ほとんどが従来の印字装置と同様であり、従来と同じ部分については、同一の符号を付している。印字装置１は、透明テープ１５の片面にインクリボンにより熱転写印字を行い、両面テープ１２を貼り付けてラミネートタイプの印字テープ１８を作成するための装置である。テープカセット７内には、透明テープ１５が巻かれた透明テープリール１３、両面テープ１２が巻かれた両面テープリール１１、インクリボン１６が巻かれたインクリボンリール１４の３種類のリールが回転可能に保持されている。
　【００１３】透明テープ１５は、インクリボン１６と重ね合わされた状態で、印字装置１のサーマルヘッド２２とプラテンローラ２１とに挟み込まれ、サーマルヘッド２２に組み込まれている発熱素子により、キーボード４で入力された文字、図形等を印字する。そして、透明テープ１５の印字面に、テープ駆動ローラ２３とテープ送りローラ２４とにより、両面テープ１１が貼り合わされて印字テープ１８が製作される。印字テープ１８は、テープカット機構により切断された後、本体ケース３の外部に排出される。
　【００１４】次に、本発明の要部であるリボンカセット７の固定方法について図面により詳細に説明する。プラテンローラ２１を回転可能に軸支するプラテンレバー３０は、スイッチレバー６の中心軸６ａを支点として回転可能に支持されている。プラテンレバー３０には、プラテンローラ２１及びテープ送りローラ２４が各々回転可能、かつ、サーマルヘッド２２及びテープ駆動ローラ２４に対し圧接されるように配設されている。
　【００１５】リボンカセット７を取り出すときは、スイッチレバー６を半時計回りに回転させることにより、プラテンレバー３０が図に示す位置から反時計回りに回動ずる。それにより、インクリボン１６と透明テープ１５とを重ね合わせた状態で、サーマルヘッド２２との間に挟み込んでいたプラテンローラ２１がサーマルヘッド２２から離間して、インクリボン１６と透明テープ１５とが解放される。また、テープ送りローラ２４もテープ駆動ローラ２３から離間する。さらにカセットカバー２５をヒンジ２７を支点として上向きに回転させることにより、リボンカセット７が解放され、リボンカセット７をカセット収納部２から取り出すことが可能となる。
　【００１６】次に、リボンカセット７を収納する場合を説明する。カセット収納部２のカセットカバー２５が開いている状態で、リボンカセット７を挿入する。カセット収納部２には、図示しない位置決めピンが複数本立っており、リボンカセット７の位置決め孔に嵌合して、リボンカセット７の平面方向での位置決めがなされる。このとき、サーマルヘッド２２は、リボンカセット７の切り欠き部に入り込んでインクリボン１６と透明テープ１５とが重ね合わされている位置の内側に入っている。カセットカバー２が閉じられた後で、スイッチレバー６が時計回りに回転されることにより、プラテンレバー３０が時計回りに回動する。そして、プラテンローラ２１がサーマルヘッド２２の方向に移動して、インクリボン１６と透明テープ１５とを重ね合わされた状態で挟み込む。また、テープ送りローラ２４がテープ駆動ローラ２３に当接する。
　【００１７】このとき、プラテンレバー３０の回動により、リボンカセット７がプラテンローラ２１近傍でカセット収納部２の下面に押しつけられため、リボンカセット７の浮き上がりが防止される。次にその方法を説明する。図２にリボンカセット７がカセット収納部２の中に収納されている状態でのＡ−Ａ断面図を示す。リボンカセット７のインクリボン１６と透明テープ１５とが重なっている位置である印字位置の近傍には、印字装置１と連動してリボンカセット７をカセット収納部２の下面に押しつけるためのカセット凸部７ａが形成されている。
　【００１８】一方、プラテンレバー３０のリボンカセット７に当接する位置に、カセット押えリブ３０ａが形成されている。そして、プラテンレバー３０が印字位置に回動されることにより、カセット押えリブ３０ａがカセット凸部７ａの上面に当接し、リボンカセット７をカセット収納部２の下面に押しつけて、リボンカセット７の浮き上がりを防止している。カセット押えリブ３０ａとカセット凸部７ａとは、印字装置１の印字位置であるプラテンローラ２１の近傍にあって、リボンカセット７をカセット収納部の下面に押さえつけているので、印字装置１が駆動中にプラテンローラ２１付近でリボンカセット７が浮き上がることがないため、インクリボン１６の蛇行等がなくなり、安定した印字を行うことができる。
　【００１９】本実施例によれば、リボンカセット７の浮き上がり防止対策として、余分の部品や動作を必要としないので、コストアップとならずにリボンカセット７の浮き上がりが防止できる。
　【００２０】本実施例では、リボンカセット７の側面に凸部が形成されている場合について説明したが、リボンカセット７に凹部が形成されていて、印字装置側のカセット押えが突き出した形状をしていてもよい。また、本実施例では、プラテンローラ２１が移動してサーマルヘッド２２と当接するのと連動してカセット押えを動作させていたが、プラテンローラ２２を固定して、サーマルヘッド２２を移動させる印字装置の場合は、サーマルヘッド２２の移動と連動してカセット押えを動作させればよい。
　【００２１】
　【発明の効果】以上説明したことから明かなように、本発明のリボンカセットと印字装置によれば、プラテン及びヘッドの近傍にあって、プラテンまたはヘッドの少なくとも一方が他方に対して接近する方向へ移動してインクリボンとテープを挟み込むときに、プラテンまたはヘッドの移動に連動してリボンカセットをカセット収納部の底面に押しつけているので、印字装置が駆動中にプラテンローラ付近でリボンカセットが浮き上がることがないため、インクリボンの蛇行等がなくなり、安定した印字を行うことができ、インクリボンの折れ等の故障がなくなる。
【図面の簡単な説明】
　【図１】本発明の一実施例である印字装置に収納されたリボンカセットの周辺断面図である。
　【図２】図１中のＡ−Ａ断面図である。
　【図３】印字装置の全体を示す平面図である。
　【図４】従来の印字装置に収納されたリボンカセット周辺の平面断面図である。
　【図５】従来の印字装置に収納されたリボンカセット周辺の側面断面図である。
　【符号の説明】
１　印字装置
２　カセット収納部
７　リボンカセット
７ａ　カセット凸部
１１　両面テープ
１５　透明テープ
１６　インクリボン
２１　プラテンローラ
２２　サーマルヘッド